(57)【要約】      （修正有）【課題】振動式発電装置を使用して構造を極めて簡易なものとし、上下動する波動のエネルギーを利用して直流電流を取り出しできる利用効率の高い波力発電装置を提供する。【解決手段】上昇時には、浮体１は中心軸４を中心に回転移動し、心棒７はほぼ垂直を保ちながら上昇し、心棒７に連結されているレバー８も揺動式発電装置９を中心に揺動回転移動する。下降時には、浮体１は中心軸４を中心に回転移動し、心棒７はほぼ垂直を保ちながら下降し、心棒７に連結されているレバー８も揺動式発電装置９を中心に揺動回転移動する。レバー８の上下揺動回転に応じて、揺動式発電装置９には、矩形のパルス状の誘導起電力が発生する。この起電力は、電気引き出し線により全波整流器１０に送られ、直流電流となる。【選択図】図１
0003228445.tif 000002
【実用新案登録請求の範囲】
【請求項１】
海面に浮上させる縦長の浮体と、該浮体の前後端両側及び中央部近傍に海中に杭打ちした木製の杭棒と、前記浮体の前後を揺動可能に前記杭棒と連結する紐と、前記浮体の中央部を中心軸で支持し、該中心軸を中心に揺動運動可能に軸支する支持部材と、前記浮体の先端中央部に心棒連結部を介して垂直連結された心棒と、該心棒の先端に接続された水平方向のレバーと、該レバーの基端部の揺動運動を伝達可能に連結した揺動式発電装置と、該揺動発電装置に結線された全波整流器と、からなることを特徴とする波力発電装置。
【考案の詳細な説明】
【技術分野】
【０００１】
本考案は、海面の波の上下運動によって生ずる波動を利用した波力発電装置に関する。
【背景技術】
【０００２】
従来、発電用エネルギー源として海面の波動を利用したものとして、特許第４０６８２９６号公報（特許文献１）が提案されているが、このものは機関部の構造が複雑で費用対効果の面で期待しうる成果が得られていない。
また、ラック軸とピニオンギヤを使用して波動を利用したものすなわち、波動の上下運動又は水平方向の前後運動を利用したものなどは、波動の一方向の動きのみを利用するものであるため、利用効率が非常に悪いものであった。
【０００３】
一方他分野で、構造が簡単で、体積が従来のものより縮小でき、発電効率に優れた振動式発電装置が知られている(特許文献２を参照)。
この公知技術は、不均衡ウエイト揺動式磁性リングロータとコイルステータとを設け、前記不均衡ウエイト揺動式磁性リングロータと前記コイルステータに旋回揺動相対運動を行わせ、前記不均衡ウエイト揺動式磁性リングロータの周囲には一つの磁極リングが設けられ、これにより、不均衡ウエイト揺動式磁性リングロータが揺動するとき、前記コイルステータ上の誘導コイルが前記磁極リングの形成する磁力線を切断し、前記誘導コイルに一つの誘導起電力が発生するものである。こうして発生した起電力は、方形波状の誘導起電力である。
このものは、特に腕時計に応用されるものである。
【先行技術文献】
【特許文献】
【０００４】
【特許文献１】特許第４０６８２９６号公報
【特許文献２】登録実用新案第３０２９５２８号公報
【考案の概要】
【考案が解決しようとする課題】
【０００５】
本考案は、振動式発電装置を使用して構造を極めて簡易なものとし、上下動する波動のエネルギーを利用して直流電流を取り出しできる利用効率の高い波力発電装置を提供するものである。
【課題を解決するための手段】
【０００６】
本考案の波力発電装置は、海面に浮上させる縦長の浮体と、該浮体の前後端両側及び中央部近傍に海中に杭打ちした木製の杭棒と、前記浮体の前後を揺動可能に前記杭棒と連結する紐と、前記浮体の中央部を中心軸で支持し、該中心軸を中心に揺動運動可能に軸支する支持部材と、前記浮体の先端中央部に心棒連結部を介して垂直連結された心棒と、該心棒の先端に接続された水平方向のレバーと、該レバーの基端部の揺動運動を伝達可能に連結した揺動式発電装置と、該揺動発電装置に結線された全波整流器と、からなる。
【考案の効果】
【０００７】
本考案の波力発電装置は、海面に浮上させる縦長の浮体と、該浮体の前後端両側及び中央部近傍に海中に杭打ちした木製の杭棒と、前記浮体の前後を揺動可能に前記杭棒と連結する紐と、前記浮体の中央部を中心軸で支持し、該中心軸を中心に揺動運動可能に軸支する支持部材と、前記浮体の先端中央部に心棒連結部を介して垂直連結された心棒と、該心棒の先端に接続された水平方向のレバーと、該レバーの基端部の揺動運動を伝達可能に連結した揺動式発電装置と、該揺動発電装置に結線された全波整流器と、からなり、直流電力を発生しているため、電気電解法に使用してH2,O2発生や将来のH2ステーションに貢献できる。
【図面の簡単な説明】
【０００８】
【図１】本考案の波力発電装置の斜視図である。
【図２】本考案の波力発電装置の一部省略平面図である。
【図３】本考案の波力発電装置の説明図である。
【図４】揺動式発電装置の電圧波形図である。
【図５】揺動式発電装置の整流後の電圧波形図である。
【考案を実施するための形態】
【０００９】
本考案の波力発電装置の一実施例を添付図面により説明する。
図１の斜視図及び図２の平面図に示すように、本考案の波力発電装置は、海面に浮上させる縦長の浮体１と、該浮体１の前後端両側及び中央部近傍に海中に杭打ちした木製の杭棒２と、前記浮体１の前後を揺動可能に前記杭棒２と連結する紐３と、前記浮体１の中央部を中心軸４で支持し、該中心軸４を中心に揺動運動可能に軸支する支持部材５と、前記浮体１の先端中央部に心棒連結部６を介して垂直連結された心棒７と、該心棒７の先端に接続された水平方向のレバー８と、該レバー８の基端部の揺動運動を伝達可能に連結した揺動式発電装置９と、該揺動発電装置９に結線された全波整流器１０と、からなる。
【００１０】
前記浮体１は、近海において、丸太棒を杭打ちして木材による基礎工事を行ったものに、浮体１を設置したもので、浮力により、この浮体１が上下運動をするようにしたものである。
前記浮体１は、この実施例ではサーフィンボードを利用したが、これに限らず、浮力の生じるものであれば可能であり、例えばゴムボート、発泡スチロール板などフロート式に加工を施したものであればよい。
【００１１】
前記杭棒２は、丸太棒の先端を先鋭部に形成して海中に杭打ちしたもので、倒れないように補助杭などで補強してもよい。前記浮体１の周囲近傍に波の上下揺動方向を考慮して杭打ちを施す。
前記紐３は、前記浮体１の前後端両側と前記杭棒２とを連結するが、浮体１の上下運動を妨げないような長さで両者を連結する。前記紐３の材質は、天然繊維や合成樹脂などであればよい。
【００１２】
前記支持部材５は、浮体１の中央部を支持する中心軸４を軸支し、前記杭棒２に固定して設ける。また、海水による腐食を考慮して木製またはプラスチック製であればよい。
前記心棒７は、海水による浮体１の上下運動を揺動式発電装置９に伝達するためのリンク機構の一部になり、浮体１の心棒連結部６とは、揺動可能な嵌合構造となっている。また、海水による腐食を考慮して木製またはプラスチック製であればよい。
【００１３】
前記レバー８は、海水による浮体１の上下運動を揺動式発電装置９に伝達するためのリンク機構の一部になり、心棒７との連結部とは、揺動可能な嵌合構造となっている。また、海水による腐食を考慮して木製またはプラスチック製であればよい。
前記揺動式発電装置９は、前記レバー８の上下揺動運動により発電を行うものであり、原理的には、不均衡ウエイト揺動式磁性リングロータが揺動するとき、コイルステータ上の誘導コイルが磁極リングの形成する磁力線を切断し、前記誘導コイルに一つの誘導起電力が発生するものである（特許文献２を参照）。
前記全波整流器１０は、前記揺動式発電装置９で発生した起電力を直流電流に変換するものである。
【００１４】
次に、本考案の波力発電装置の操作動作を添付図面により説明する。
図３の説明図に示すように、海面の波動により浮体１は上下揺動するが、上昇時には、浮体１は中心軸４を中心に回転移動し、心棒７はほぼ垂直を保ちながら上昇し、前記心棒７に連結されているレバー８も揺動式発電装置９を中心に揺動回転移動する。
また、下降時には、浮体１は中心軸４を中心に回転移動し、心棒７はほぼ垂直を保ちながら下降し、前記心棒７に連結されているレバー８も揺動式発電装置９を中心に揺動回転移動する。
前記浮体１は、杭棒２に紐３で連結されているので、分離移動することはない。また、シケや台風などで海が荒れる場合は、予報前に紐３を解き、浮体１を取り外し避難することもできる。
【００１５】
このように、前記浮体１は、波の上下動に応じて上下回転し、レバー８の揺動回転が、揺動式発電装置９に伝えるものである。
前記揺動式発電装置９は、前記レバー８の上下揺動回転に応じて、図４の電圧波形図に示すように、矩形のパルス状の誘導起電力が発生する。この起電力は、電気引き出し線により全波整流器１０に送られ、図５の整流後の電圧波形図に示すように、直流電流となる。
前記揺動式発電装置９の発生電力は、レバー８が上下するため全波整流器１０を取り付けることにより直流発生電力は２倍になる。
この直流電流を、例えば蓄電器やH2発生ステーションへ送ることもできる。
【００１６】
前記心棒７の移動距離からくる揺動式発電装置９のレバー８の揺動角度が６０°×２＝１２０°であれば、発電量は１０００ｋｗ以上時となる。これは風力発電機の１／３の出力である。
前記浮体１の材質等の係数ｋ、浮体１の有効面積R、波の圧力Pとすれば、前記心棒７の移動距離ｇは、ｇ∝ｋRPとなる。これは計装空気圧式制御弁の作動原理でもある。
【符号の説明】
【００１７】
１  浮体
２  杭棒
３  紐
４  中心軸
５  支持部材
６  心棒連結部
７  心棒
８  レバー
９  揺動式発電装置
１０  全波整流器
【図１】
0003228445.tif 000003
【図２】
0003228445.tif 000004
【図３】
0003228445.tif 000005
【図４】
0003228445.tif 000006
【図５】
0003228445.tif 000007